(57)【要約】【課題】  この発明の目的は、放熱効果を十分に発揮する記録装置用ハウジングを提供することである。【解決手段】  録音や録画をする記録装置を組み込んだハウジング本体Ｂを錐形にするとともに、このハウジング本体Ｂの側面には、録画あるいは録音のオン・オフスイッチボタン５と、メモリーカード８のケース９を挿入するためのケース挿入用スロット１０と、メモリーカードを挿入するためのメモリーカード挿入用スロット１２と、ディスプレイ等に接続するためのコネクター１３とを設けた。【選択図】  図１
2005293359.tif 000002
【特許請求の範囲】
【請求項１】
録音や録画をする記録装置を組み込んだハウジング本体を錐形にするとともに、このハウジング本体の側面に、録画あるいは録音のオン・オフスイッチボタンと、メモリーカード等を挿入するスロットと、ディスプレイ等に接続するためのコネクターとを設けた記録装置用ハウジング。
【請求項２】
錐形のハウジング本体の頂上部分にスイッチのオン・オフを示すランプを設けた請求項１記載の記録装置用ハウジング。
【発明の詳細な説明】
【技術分野】
【０００１】
この発明は、メモリーカード等に記録された音声や画像を取り込んだり、テレビ等の音声や画像を取り込んでメモリーカード等に記録したりする機能を備えた記録装置用ハウジングに関する。
【背景技術】
【０００２】
この種のハウジングとして、従来から知られているものは、そのほとんどが、ハウジング本体を直方体あるいはそれに近い形にしている。そして、その一の側面に、オン・オフスイッチおよびメモリーカード等のスロットを集中させ、他の側面、主に上記一の側面とは反対側面にコネクターを設けていた。
なお、本件に関しては、従来技術を表した先行技術文献調査をしていない。
【発明の開示】
【発明が解決しようとする課題】
【０００３】
上記従来のハウジングでは、そのハウジング本体を直方体にしているので、ハウジング本体の上に物を置きやすい状態にある。そのために、ハウジング本体上に、つい、物を置いてしまうことがあった。また、ハウジング本体が直方体あるいはそれに近い形だと、その周囲に本等の物を置いたりしたとき、それらの物がハウジング本体の側面に密着しやすくなる。
しかし、上記ハウジング本体に組み込んだ記録装置は、かなりの熱を持つので、上記のようにハウジング本体の上や周囲に物を置いたりすると、その放熱効果が損なわれる。特に、小型のメモリーカードに対応した記録装置のハウジングは、全体が非常に小さくなるので、その表面積も小さくなる。表面積が小さいということは、放熱面積も小さくなるので、ハウジング本体の上や周囲にわずかな物でも置かれると、さらに放熱面積が小さくなり、結局、放熱効果が極端に落ちてしまう。
【０００４】
また、上記したように小型のメモリーカードに対する記録装置はそのハウジングも小さいので、スイッチを設けた側面のスペースも小さくなる。このように小さなスペースに設けたスイッチ類は、その操作がやりにくくなるが、特に、ハウジング本体を少し低い所に置いたときには、極端に操作がしにくくなる。
この発明の目的は、放熱効果を十分に保てるとともに、スイッチなどの操作性も良好に保てる記録装置用ハウジングを提供することである。
【課題を解決するための手段】
【０００５】
第１の発明は、録音や録画をする記録装置を組み込んだハウジング本体を錐形にするとともに、このハウジング本体の側面に、録画あるいは録音のオン・オフスイッチボタンと、メモリーカードを挿入するスロットと、ディスプレイ等に接続するためのコネクターとを設けた点に特徴を有する。
第２の発明は、錐形のハウジング本体の頂上部分にスイッチのオン・オフを示すランプを設けた点に特徴を有する。
なお、上記メモリーカードとしては、例えば、ミニＳＤカード、スマートメディア（Ｒ）、メモリースティック（Ｒ）、マルチメディアカードあるいはｘＤメモリーカード等が含まれる。
【発明の効果】
【０００６】
第１の発明によれば、ハウジング本体を錐形にしたので、少なくともその上に物を置くことができない。しかも、ハウジング本体の周囲に本などの物を置いたとしても、ハウジング本体の側面が傾斜しているので、その側面と周囲の物との間に必ず間隔が形成される。このようにハウジング本体の上に物を置けないし、しかも、その周囲のものに対しても常に間隔を保てるので、ハウジング本体の放熱効果を損なうことは一切なくなる。
【０００７】
また、ハウジング本体の周囲に物などを置いたとしても、上記したように物との間に間隔が保たれるので、例えば、オン・オフスイッチボタンあるいはクオリティ選択ボタンが隠れたりせず、それらの操作スペースも常に確保されることになる。このことは、各スロットにメモリーカード等を出し入れするときにも同じで、それらを出し入れする作業スペースが常に確保されることになる。
さらに、ハウジング本体の両側を正面から見ることができるので、オン・オフスイッチボタンを操作したり、各スロットに、メモリーカード等を出し入れしたりするとき、ハウジング本体をいちいち回さなくてもよくなる。
【０００８】
第２の発明によれば、ハウジング本体の頂上部分のランプを確認すれば、当該記録装置のオン・オフ状態が一目で確認できる。しかも、このランプは頂上部分に設けたので、それが他の物によって隠されることがない。したがって、使用者は当該記録装置で録画をしているときなどに、メモリーカード等を不用意に抜き取るようなことがなくなる。
【発明を実施するための最良の形態】
【０００９】
図示の実施形態は、正四角錐にして第１〜第４側面１〜４を形成したハウジング本体Ｂに、録画等の記録機構（図示していない）を組み込んでいる。
上記第１側面１には、図１および図２に示すように、頂上部分に近い最上位に記録開始あるいは記録終了を指示するオン・オフスイッチボタン５を設けるとともに、このオン・オフスイッチボタン５の下方に、録画の画質を調整するクオリティ選択ボタン６を設けている。さらに、上記クオリティ選択ボタン６の下方には、カウンター表示窓７を設けている。
【００１０】
上記第１側面１に隣接する第２側面２には、小型のメモリーカード８のケース９を挿入するためのケース挿入用スロット１０を設けている。
なお、上記メモリーカード８のケース９は、その表側にメモリーカード８を挿入するポケット部９ａを形成するとともに、裏側にも、図示していないが同様のポケット部を設けている。そして、このポケット部９ａに挿入したメモリーカード８は、その端子８ａをケース９に形成した端子露出部９ｂから露出させるようにしている。
【００１１】
また、上記ケース挿入用スロット１０には端子１１を設けているが、この端子１１は、メモリーカード８を収納したケース９を上記ケース挿入用スロット１０に挿入することによって、そのケース９に収納したメモリーカード８の端子８ａが、上記端子１１に接触する構成にしている。なお、図１において、端子１１に接触するのは、ケース９の裏側に収納したメモリーカード８の端子８ａであって、図１に現れている端子９ｂが端子１１に接触するわけではない。
【００１２】
次に、図３に示すように、第２側面２とは反対側において上記第１側面１に隣接する第３側面３には、図示していないメモリーカードを直接挿入するためのメモリーカード挿入用スロット１２を設けている。
また、第２側面２および第３側面３に挟まれた第４側面４、言い換えると第１側面１と正反対に位置する第４側面４には、図示していないテレビ等に接続するためのコネクター１３を設けている。
さらに、上記した正四角錐のハウジング本体Ｂの頂上部分にはランプ１４を設けている。このランプ１４は、オン・オフスイッチボタン５を操作してスイッチをオンにしたとき点灯し、オフのとき消灯状態を保つのものである。
【００１３】
上記のようにしたこの実施形態の記録装置用ハウジングによれば、ハウジング本体Ｂを正四角錐にしたので、少なくともその上に物を置くことができない。しかも、ハウジング本体Ｂの周囲に本などの物を置いたとしても、各側面１〜４が傾斜しているので、それら各側面１〜４と周囲の物との間に必ず間隔が形成される。このようにハウジング本体Ｂの上に物を置けず、しかも、その周囲の物に対しても常に間隔を保てるので、ハウジング本体Ｂの放熱効果を損なうことは一切なくなる。
【００１４】
また、ハウジング本体Ｂの周囲に物などを置いたとしても、上記したように物との間に間隔が保たれるので、例えば、オン・オフスイッチボタン５あるいはクオリティ選択ボタン６が隠れたりせず、それらの操作スペースも常に確保されることになる。このことは、各スロット１０，１２にメモリーカード８等を出し入れするときにも同じで、それらを出し入れする作業スペースが常に確保されることになる。
【００１５】
さらに、ハウジング本体Ｂの第１側面１を正面とした場合に、その正面の左右に隣接する第２，３側面２，３を正面側から見ることができる。したがって、ケース９をケース挿入用スロット１０に出し入れしたり、メモリーカード挿入用スロット１２にメモリーカード８を直接挿入したりするのに、ハウジング本体Ｂをいちいち回さなくてもよくなる。
しかも、オン・オフスイッチボタン５およびクオリティ選択ボタン６を押すときには、その押す力が斜面に沿って下方にも作用するので、ハウジング本体Ｂが滑ったりしない。このようにハウジング本体Ｂが滑ったりしないので、安定した状態でボタン操作をすることができる。
【００１６】
一方、ハウジング本体Ｂの頂上部分のランプ１４を確認すれば、当該記録装置のオン・オフ状態が一目で確認できる。しかも、このランプ１４は頂上部分に設けたので、それが他の物によって隠されることがない。したがって、使用者は当該記録装置で録画をしているときなどに、メモリーカード等を不用意に抜き取るようなことがなくなる。
【図面の簡単な説明】
【００１７】
【図１】メモリーカード用のケースとともに示したハウジング本体の斜視図である。
【図２】ハウジング本体を第１，２側面側から見た斜視図である。
【図３】ハウジング本体を第３，４側面側から見た斜視図である。
【符号の説明】
【００１８】
Ｂ      ハウジング本体
５      オン・オフスイッチボタン
８      メモリーカード
１０    ケース挿入用スロット
１３    コネクター
１４    ランプ
【図１】
2005293359.tif 000003
【図２】
2005293359.tif 000004
【図３】
2005293359.tif 000005